(57)【特許請求の範囲】
【請求項１】
山形凸傾斜面の外周に水平面が形成された風路底面と山形凹傾斜面に形成された風路上面とが傾斜空間を保持して対向され、この傾斜空間が中央から外周に向けて半径方向に放射状に設けた少なくとも３枚の仕切板により複数の傾斜風路に区画され、この各傾斜風路を介して外周に開口した吹出口と風路上面の中央部に形成された吸気口とが連通している風向器を備え、
前記吸気口に軸流ファンが下向きに設けられていることを特徴とした床下等の全方向送風装置。
【発明の詳細な説明】
【０００１】
【発明の属する技術分野】
本発明は、主に床下（天井裏に使用してもよい）の換気に使用される床下等の全方向送風装置に関する。
【０００２】
【従来の技術】
従来、床下や天井裏に設置される換気装置としては種々のものが提案されている。これらは自然換気用に設けられた換気口に送風ファンを配設したもので、床下等の高湿空気を強制的に屋外に排出するものであった。ただ、換気口から離れた隅の場所では送風が届かずに空気が淀み、湿気がこもって土台や梁の腐朽の原因になっている。
【０００３】
このように、床下等の換気に際しては、隅の場所で淀んでいる空気を動かす必要があるが、その装置として、例えば、実用新案登録第２５５０２２５号の換気装置が知られている。この換気装置は、風向器に送風ファンを設けたもので、その風向器による空気の吹き出し方向を送風ガイドによって多方向（５方向）に向けており、又、送風ファンとしてシロッコファンを用いていた。
【０００４】
【発明が解決しようとする課題】
しかしながら、従来の換気装置では、空気の吹き出し方向が多方向であり、３６０度全方向ではないため、設置に際し換気装置の向きを調整する必要があるし、送風を隅々まで行き渡らせることが困難であった。又、水平方向に吹き出すため、地面に沿って風を送ることが困難であり、地面付近の最も湿気が多い部分への送風が十分でないという問題があった。
【０００５】
本発明は、上述のような従来の問題を解決するためになされたもので、空気の吹き出し方向を３６０度全方向にして送風を隅々まで行き渡らせることができ、又、地面付近の最も湿気が多い部分への送風が十分にできるようにして、効果的かつ効率的に床下等の換気ができるようにした全方向送風装置を提供することを課題としている。
【０００６】
【課題を解決するための手段】
上記課題を解決するために、本発明の床下等の全方向送風装置は、山形凸傾斜面の外周に水平面が形成された風路底面と山形凹傾斜面に形成された風路上面とが傾斜空間を保持して対向され、この傾斜空間が中央から外周に向けて半径方向に放射状に設けた少なくとも３枚の仕切板により複数の傾斜風路に区画され、この各傾斜風路を介して外周に開口した吹出口と風路上面の中央部に形成された吸気口とが連通している風向器を備え、
前記吸気口に軸流ファンが下向きに設けられている構成とした。
【０００７】
本発明の全方向送風装置は、床下等の適宜場所に設置して、自然換気用の換気口に送風ファンを配設した換気装置と併用するのが最も効果的である。従って、換気装置の送風ファンにより換気口から取り入れられた空気が、全方向送風装置によって床下等の隅々にまで送風されることになる。
【０００８】
この場合、軸流ファンにより吸気口に送られた空気は仕切板で区画された複数の傾斜風路を経て吹出口から吹き出される。このとき各傾斜風路が、傾斜空間を半径方向に放射状に設けた仕切板により区画したものであるため、吹出口が風向器の外周３６０度全方向に向く状態に開口し、この吹出口から３６０度全方向に向けて送風を隅々まで行き渡らせることができる。
【０００９】
又、傾斜風路によって送風が斜め下向き方向になるため、地面付近の最も湿気が多い部分への送風が十分にできると共に、山形凸傾斜面の外周に水平面が形成されているため、この水平面によって水平方向への送風が生じる。従って、全体的に斜め下向き方向に送風しながら水平方向への送風によって遠くまで行き届かせることができ、効果的かつ効率的に床下等を換気することができる。
【００１０】
【発明の実施の形態】
以下、本発明の実施の形態を図面により説明する。図１は本発明の実施の一形態である全方向送風装置の断面図、図２はその切欠平面図である。
【００１１】
この全方向送風装置Ａは、風向器１に軸流ファン２が設けられたもので、取付台３の上に取り付けられ、床下の適宜場所に設置される。
【００１２】
前記風向器１は、底板部材１ａの上面に形成された風路底面１２と、カバー部材１ｂの下面に形成された風路上面１３との間に６等配間隔で複数（実施例では６個）の傾斜風路１４が区画されたもので、この各傾斜風路１４を介して外周に開口した吹出口１４ａとカバー部材１ｂの中央部に形成された吸気口１４ｂとが連通した構造となっている。この場合、風路底面１２は山形凸傾斜面１０の外周に水平面１１が形成され、又、風路上面１３は山形凹傾斜面１５に形成され、この山形凸傾斜面１０及び山形凹傾斜面１５は、緩やかに湾曲した球状面に形成されている。
【００１３】
又、各傾斜風路１４は、風路底面１２と風路上面１３との間の傾斜空間を仕切板１６により区画することで形成されている。この仕切板１６は中央から外周に向けて半径方向に放射状に設けられ、その底縁は風路底面１２に沿って緩やかに湾曲し、又、上縁は風路上面１３に沿って緩やかに湾曲すると共に、吸気口１４ｂの内周に沿って立ち上げられている。
【００１４】
そして、前記吸気口１４ｂに軸流ファン２が下向きに設けられ、この軸流ファン２により吸気口１４ｂに送られた空気は傾斜風路１４を経て吹出口１４ａから吹き出される。尚、図中２０はファンケーシング、２１はファンモータで、直流モータ又は交流モータのいずれでも使用できるし、電源もＤＣ電源、ＡＣ電源、あるいは太陽電池を使用することもできる。
【００１５】
この全方向送風装置Ａは、床下等の適宜場所に設置して、自然換気用の換気口に送風ファンを配設した換気装置と併用することで最も効果的に作用する。即ち、換気装置の送風ファンにより換気口から取り入れられた空気を、全方向送風装置Ａによって床下等の隅々にまで送風することになる。
【００１６】
この場合、軸流ファン２により吸気口１４ｂに送られた空気は傾斜風路１４を経て吹出口１４ａから吹き出される。このとき傾斜風路１４が、傾斜空間を半径方向に放射状に設けた仕切板１６により等配間隔に区画したものであるため、吹出口１４ａが風向器１の外周３６０度全方向に向く状態に開口し、この吹出口１４ａから３６０度全方向に向けて送風を隅々まで行き渡らせることができる。
【００１７】
又、傾斜風路１４によって送風が斜め下向き方向になるため、地面付近の最も湿気が多い部分への送風が十分にできると共に、山形凸傾斜面１０の外周に水平面１１が形成されているため、この水平面１１によって水平方向への送風が生じる。従って、全体的に斜め下向き方向に送風しながら水平方向への送風によって遠くまで行き届かせることができ、効果的かつ効率的に床下等を換気することができる。
【００１８】
以上、本発明の実施の形態を図面により説明したが、具体的な構成はこれに限定されることはない。例えば、傾斜風路は、少なくとも３枚の仕切板で区画されていればよく、実用的には３〜８等配間隔に区画することになる。又、山形凸傾斜面及び山形凹傾斜面は球状面ではなく円錐状面に形成してもよい。
【００１９】
【発明の効果】
以上説明してきたように、本発明の床下等の全方向送風装置にあっては、軸流ファンにより吸気口に送られた空気は仕切板で区画された複数の傾斜風路を経て吹出口から吹き出される。このとき各傾斜風路が、傾斜空間を半径方向に放射状に設けた仕切板により区画されたものであるため、吹出口が風向器の外周３６０度全方向に向く状態に開口し、この吹出口から３６０度全方向に向けて送風を隅々まで行き渡らせることができる。
【００２０】
又、傾斜風路によって送風が斜め下向き方向になるため、地面付近の最も湿気が多い部分への送風が十分にできると共に、山形凸傾斜面の外周に水平面が形成されているため、この水平面によって水平方向への送風が生じる。従って、全体的に斜め下向き方向に送風しながら水平方向への送風によって遠くまで行き届かせることができ、効果的かつ効率的に床下等を換気することができる。
【図面の簡単な説明】
【図１】本発明の実施の一形態である全方向送風装置の断面図である。
【図２】その切欠平面図である。
【符号の説明】
Ａ  全方向送風装置
１  風向器
１２  風路底面
１３  風路上面
１０  山形凸傾斜面
１１  水平面
１５  山形凹傾斜面
１４  傾斜風路
１６  仕切板
１４ａ  吹出口
１４ｂ  吸気口
２  軸流ファン
【図１】
0003621581.tif 000002
【図２】
0003621581.tif 000003